(57)【要約】【課題】被検査基板の配線パターンのファインピッチ化に容易に対応でき且つ低コストで製造可能な検査用治具を実現する。【解決手段】プローブピン３１を保持するために保持板１０に従来設けられていたスリーブを省略し、その機能を保持板１０の保持孔２０に持たせた。スリーブを省略したことにより、プローブユニット３０の構造を簡素化してプローブピン３１を細密に配置することが可能になるとともに、部品点数を削減することができる。また、予めリード線３２をプローブユニット３０に接合させておくことで、細密化された配線作業を容易に行えるようにした。また、リード線３２に半田ボール３４を接合させておくことにより、コイルスプリング３３との電気的導通性に優れた球面状の接触面を形成するとともに、リード線３２の抜けを確実に防止できるようにした。【選択図】図１
2008020372.tif 000002
【特許請求の範囲】
【請求項１】
被検査基板上の電極にプローブを当接させて当該被検査基板に形成されている回路の導通を検査するための検査用治具であって、
第1の外板と第２の外板との間に内板を挟んで一体化してなる絶縁性の保持板と、
前記電極の位置に対応させて且つ板の積層方向に貫通させて前記保持板に形成された複数の保持孔と、
前記保持孔内に収容された状態で保持されたプローブユニットとを備え、
前記プローブユニットは、
前記第1の外板の表面からそのプローブ部の先端を突出させた状態で前記保持孔の軸方向に移動可能に保持されているプローブピンと、
一端が前記第２の外板内に配置されるとともに当該一端に導体球が固定され且つ他端が前記第２の外板の外側に延びるリード線と、
前記プローブピンを前記第1の外板の表面から突出させる方向に付勢するべく前記プローブピンと前記導体球との間に設けられたスプリングと、
を備え、
前記プローブピンは、前記保持孔の内面と摺接する胴部と当該胴部の先端面中央部から突出した前記プローブ部とを有し、
前記第1の外板の前記保持孔の部分には、前記プローブピンの抜けを防止すべく前記プローブピンの前記胴部の先端面周縁部と係合する段部が形成され、
前記第２の外板の前記保持孔の部分には、前記導体球の抜けを防止すべく前記導体球と係合する段部が形成されていることを特徴とするプリント配線基板検査用治具。
【請求項２】
前記導体球は、前記リード線に半田付けにより接合された半田ボールである請求項１記載のプリント配線基板検査用治具。
【発明の詳細な説明】
【技術分野】
【０００１】
この発明は、プリント配線基板上に形成された回路の導通を検査するために用いられる検査用治具に関するものである。
【背景技術】
【０００２】
図３は従来のプリント配線基板検査用治具（以下、単に検査用治具と記す。）の構造を示す断面図である。図４は図３の検査用治具の要部を拡大して示した断面図である。この従来の検査用治具４０は、絶縁性の保持板４１に複数個のプローブユニット４２を保持させてなる。各プローブユニット４２は被検査基板４３上の各電極４４の位置と対応する位置に配置されている。各プローブユニット４２は保持板４１に埋め込まれた状態で固定された金属製のスリーブ４５と、スリーブ４５の先端部に挿入されたプローブピン（プランジャ）４６とを備えている。プローブピン４６は、その先端部４６ａをスリーブ４５から突出させた状態でスリーブ４５の軸方向に移動可能に保持されている。スリーブ４５内にはプローブピン４６を弾力的に保持すべくスプリング４７が設けられている。スプリング４７は、その一端がプローブピン４６に固定され、他端がスリーブ４５に固定されている。各スリーブ４５の基端部には、図示しない測定器に接続されたリード線４８が半田付けによって各々接合されている。
【発明の開示】
【発明が解決しようとする課題】
【０００３】
プリント配線基板の配線パターンのファインピッチ化に対応するためには、プローブユニット４２の構造を簡素化し、プローブピン４６を細密に配置する必要がある。しかし、従来の検査用治具４０のプローブユニット４２はスリーブ４５を備えているため、プローブピン４６の相互の間隔Ｐを小さくすることが困難である。また、各スリーブ４５にリード線４８を半田付けする必要があるため、その配線作業が繁雑である。
【０００４】
本発明が解決しようとする課題は、スリーブを省略してプローブユニットの構造を簡素化することにより、プリント配線基板の配線パターンのファインピッチ化への対応を容易にするとともに、部品点数を削減し且つ配線作業を容易化して低コストで製造可能な検査用治具を提供することにある。
【課題を解決するための手段】
【０００５】
上記課題を解決するために、本発明の検査用治具は、被検査基板上の電極にプローブを当接させて当該被検査基板に形成されている回路の導通を検査するための検査用治具であって、第1の外板と第２の外板との間に内板を挟んで一体化してなる絶縁性の保持板と、前記電極の位置に対応させて且つ板の積層方向に貫通させて前記保持板に形成された複数の保持孔と、前記保持孔内に収容された状態で保持されたプローブユニットとを備え、前記プローブユニットは、前記第1の外板の表面からそのプローブ部の先端を突出させた状態で前記保持孔の軸方向に移動可能に保持されているプローブピンと、一端が前記第２の外板内に配置されるとともに当該一端に導体球が固定され且つ他端が前記第２の外板の外側に延びるリード線と、前記プローブピンを前記第1の外板の表面から突出させる方向に付勢するべく前記プローブピンと前記導体球との間に設けられたスプリングと、を備え、前記プローブピンは、前記保持孔の内面と摺接する胴部と当該胴部の先端面中央部から突出した前記プローブ部とを有し、前記第1の外板の前記保持孔の部分には、前記プローブピンの抜けを防止すべく前記プローブピンの前記胴部の先端面周縁部と係合する段部が形成され、前記第２の外板の前記保持孔の部分には、前記導体球の抜けを防止すべく前記導体球と係合する段部が形成されているものである。
【０００６】
本発明の検査用治具において、前記導体球は、前記リード線に半田付けにより接合された半田ボールであることが望ましい。
【０００７】
上記のように構成された本発明の検査用治具は、従来プローブピンを保持するために保持板に設けられていたスリーブを省略し、そのスリーブの機能を保持板に形成した保持孔に持たせたものである。スリーブを省略したことにより、プローブユニットの構造を簡素化してプローブピンを細密に配置することが可能になるとともに、部品点数を削減することができる。また、予めリード線がプローブユニットに接合されているので、細密化された配線作業が容易になる。
【発明の効果】
【０００８】
本発明によれば、プリント配線基板の配線パターンのファインピッチ化に容易に対応できるとともに、部品点数を削減し且つ配線作業を容易化して低コストで製造可能な検査用治具を実現できる。
【発明を実施するための最良の形態】
【０００９】
次に、本発明の実施形態について説明する。
【００１０】
図１は本発明に係る検査用治具の構造を例示する部分断面図である。この検査用治具１は、第1の外板１１と第２の外板１２との間に内板１３を挟んで一体化してなる絶縁性の保持板１０を備えている。保持板１０には、外板１１、１２及び内板１３の積層方向に貫通した複数の保持孔２０が形成されている。保持孔２０は、図示しない被検査回路基板の電極の位置に対応させて設けられている。各保持孔２０にはプローブユニット３０が保持されている。プローブユニット３０は、プローブピン３１とコイルスプリング３３とを備えている。プローブピン３１は、保持孔２０の内面と摺接する胴部３１ａとその胴部３１ａの先端面中央部から突出したプローブ部３１ｂとを有し、第1の外板１１の表面１１ａからプローブ部３１ｂの先端（上端）を突出させた状態で軸方向（上下方向）に移動可能に保持孔２０内に保持されている。リード線３２の一端３２ａは第２の外板１２内に配置され、他端３２ｂは第２の外板１２の外側に延びている。リード線３２の一端３２ａには、半田付けにより半田ボール（導体球）３４が固定されている。コイルスプリング３３は、プローブピン３１を第1の外板１１の表面１１ａから突出させる方向に付勢すべくプローブピン３１と半田ボール３４との間に設けられている。リード線３２の一端３２ａに半田ボール３４を接合したことにより、コイルスプリング３３との電気的導通性に優れた球面状の接触面が形成される。第1の外板１１の保持孔２０の部分には、プローブピン３１の抜けを防止するために、プローブピン３１の胴部３１ａの先端面周縁部３１ｃと係合する段部２０ａが形成されている。第２の外板１２の保持孔２０の部分には、半田ボール３４の抜けを防止すべく、半田ボール３４と係合する段部２０ｂが形成されている。
【００１１】
図２（ａ）〜（ｄ）は図１の検査用治具１の一連の組み立て工程を示す部分断面図である。検査用治具１を組み立てる際、まずリード線３２を第２の外板１２に取り付ける（図２（ａ））。リード線３２の一端３２ａには、予め半田ボール３４を半田付けしておく。つぎに第２の外板１２の上に内板１３を重ねて（図２（ｂ））、半田ボール３４の上にコイルスプリング３３とプローブピン３１を取り付ける（図２（ｃ））。最後に内板１３の上に第１の外板１１を取り付けて検査用治具１が完成する（図２（ｄ））。
【００１２】
上記のように構成された検査用治具１は、従来プローブピン３１を保持するために保持板１０に設けられていたスリーブを省略し、そのスリーブの機能を保持板１０に形成した保持孔２０に持たせたものである。スリーブを省略したことにより、プローブユニット３０の構造を簡素化してプローブピン３１を細密に配置することが可能になるとともに、部品点数を削減することができる。また、予めリード線３２がプローブユニット３０に接合されているので、細密化された配線作業が容易になる。また、第1の外板１１を取り外すことにより、プローブピン３１あるいはコイルスプリング３３を容易に交換することができるので、検査装置のメインテナンス作業を能率良く行うことができる。
【００１３】
なお、上記の例ではスプリングとしてコイルスプリング３３を使用しているがその他のスプリングを使用してもよい。また、上記の例では導体球として半田ボール３４を使用しているが、その他の導体球を使用してもよい。
【図面の簡単な説明】
【００１４】
【図１】本発明に係る検査用治具の構造を例示する部分断面図
【図２】（ａ）〜（ｄ）は図１の検査用治具１の一連の組み立て工程を示す部分断面図
【図３】従来の検査用治具の構造を示す断面図
【図４】図３の検査用治具の要部を拡大して示した断面図
【符号の説明】
【００１５】
１  検査用治具
１０  保持板
１１  第1の外板
１１ａ  表面
１２  第２の外板
１３  内板
２０  保持孔
２０ａ  段部
２０ｂ  段部
３０  プローブユニット
３１  プローブピン
３１ａ  胴部
３１ｂ  プローブ部
３１ｃ  先端面周縁部
３２  リード線
３２ａ  一端
３２ｂ  他端
３３  コイルスプリング
３４  半田ボール（導体球）
【図１】
2008020372.tif 000003
【図２】
2008020372.tif 000004
【図３】
2008020372.tif 000005
【図４】
2008020372.tif 000006